(57)【要約】【課題】室内を加湿しながら同時に押し入れなどの要除湿空間の除湿ができるデシカント調湿機を提供する。【解決手段】室外から空気を吸入して室内に供給する給気経路Ａと、室内から排気を吸入して室外に排出する排気経路Ｂとを並設し、所定の回転速度で回転駆動されるデシカントロータ１を給気経路Ａと排気経路Ｂとに跨って配設し、給気経路Ａのデシカントロータ１より給気の吸入側に給気を加熱するためのヒータ２を設け、ヒータ２にて加熱された加熱空気にてデシカントを再生することによるデシカントロータ１からの放湿にて室内への給気を加湿するようにしたデシカント調湿機である。これにおいて、排気経路Ｂでデシカントロータ１を通過して除湿された空気の少なくと一部を要除湿空間３に供給するように排気経路Ｂと要除湿空間３とを連通させる。【選択図】        図１
2004278904.tif 000002
【特許請求の範囲】
【請求項１】
室外から空気を吸入して室内に供給する給気経路と、室内から排気を吸入して室外に排出する排気経路とを並設し、所定の回転速度で回転駆動されるデシカントロータを給気経路と排気経路とに跨って配設し、給気経路のデシカントロータより給気の吸入側に給気を加熱するためのヒータを設け、ヒータにて加熱された加熱空気にてデシカントを再生することによるデシカントロータからの放湿にて室内への給気を加湿するようにしたデシカント調湿機において、排気経路でデシカントロータを通過して除湿された空気の少なくとも一部を要除湿空間に供給するように排気経路と要除湿空間とを連通させたことを特徴とするデシカント調湿機。
【請求項２】
給気と排気の顕熱交換を行う顕熱交換器を給気経路と排気経路に跨って配設し、排気経路のデシカントロータで水分を吸着することにより得た熱で暖められた排出側の空気と給気経路の給気を給気経路のヒータで加熱する前に顕熱交換するようにし、排気経路でデシカントロータを通過して除湿されると共に顕熱交換器で顕熱交換をして温度の下がった空気の少なくとも一部を要除湿空間に供給するように排気経路と要除湿空間とを連通させたことを特徴とする請求項１記載のデシカント調湿機。
【請求項３】
室外から空気を吸入して室内に供給する給気経路と、室内から排気を吸入して室外に排出する排気経路とを並設し、所定の回転速度で回転駆動されるデシカントロータを給気経路と排気経路に跨って配設し、室内に供給する給気を除湿する場合には排気経路におけるデシカントロータより排気の吸入側で排気を加熱し、且つ室内に供給する給気を加湿する場合には給気経路のおけるデシカントロータより給気の吸入側にて給気を加熱するようにしたデシカント調湿機において、室内に供給する給気の除湿時には給気経路のデシカントロータを通過した空気の少なくとも一部を要除湿空間に供給し且つ室内に供給する空気の加湿時には排気経路のデシカントロータを通過した空気の少なくとも一部を要除湿空間に供給するように給気経路や排気経路と要除湿空間とを連通させたことを特徴とするデシカント調湿機。
【請求項４】
給気と排気の顕熱交換を行う顕熱交換器を給気経路と排気経路に跨って配設し、室内に供給する給気の除湿時には給気経路から得た熱で前記排気経路の排気をヒータで加熱する前に加熱し且つ室内に供給する給気の加湿時には排気経路から得た熱で給気経路の給気を給気経路のヒータで加熱する前に加熱するようにし、前記除湿時には給気経路のデシカントロータを通過して除湿されると共に顕熱交換して温度が下げられた空気の少なくとも一部を要除湿空間に供給し且つ前記加湿時には排気経路でデシカントロータを通過して除湿されると共に顕熱交換器で顕熱交換をして温度が下げられた空気の少なくとも一部を要除湿空間に供給するように給気経路や排気経路と要除湿空間とを連通させたことを特徴とする請求項３記載のデシカント調湿機。
【請求項５】
要除湿空間へ送る空気量を可変できるようにして給気経路にて加湿して室内に給気する空気量と要除湿空間へ送る空気量の割合を変えられるようにしたことを特徴とする請求項１または請求項２記載のデシカント調湿機。
【請求項６】
要除湿空間へ送る空気量を可変できるようにして給気経路にて除湿または加湿して室内に給気する空気量と要除湿空間へ送る空気量の割合が変えられるようにしたことを特徴とする請求項３または請求項４に記載のデシカント調湿機。
【請求項７】
室外から室内に給気する空気量と室内から室外に排気する空気量が可変であることを特徴とする請求項１乃至請求項４のいずれかに記載のデシカント調湿機。
【発明の詳細な説明】
【０００１】
【発明の属する技術分野】
本発明は、室内と室外との間の換気を行うと共に室外から給気した空気を除湿したり加湿したりして調湿するデシカント調湿機に関するものである。
【０００２】
【従来の技術】
従来、室内を除湿する場合、結露させたりして湿気を除去する除湿機が用いられ、また室内を加湿する場合、水を蒸発させて加湿する加湿機が一般的に用いられている。
【０００３】
また近年、吸湿したり放湿したするデシカントロータを用い、夏場に排気経路で放湿すると共に給気経路で吸湿して除湿した空気を室内に送ったり、冬場に排気経路で吸湿すると共に給気経路で放湿して加湿した空気を室内に送ったりするデシカント調湿機も提供されている（例えば、特許文献１参照）。
【０００４】
【特許文献１】
特開２００２−６６２５１号公報
【０００５】
【発明が解決しようとする課題】
ところで、住宅では冬季に居室を加湿したいという要求があるが、押し入れ等の収納部分や浴室はカビ発生、結露発生、錆び発生等を防止するために除湿して乾燥したいという要求がある。そこで上記従来例の前者のように加湿の要求がある居室などを加湿機を用いて加湿すると共に除湿の要求のある押し入れなどに除湿機を用いて除湿すると、加湿機と除湿機とを夫々運転しなければならなく、この運転に要する消費エネルギーが多大なものとなり、且つ設備も高価になるという問題がある。さらに加湿機には水分をヒータで蒸発させる方式のものや、水から微細なミストを生成した後、これを空気の顕熱で蒸発させる方式のものなどがあるが、いずれも省エネルギー性に劣ったり、水の管理が必要であるという問題がある。
【０００６】
また上記従来例の後者のデシカント調湿機は、運転状態を切り替えることにより加湿したり、除湿したりできるようになっており、また水の管理をしたりしなくても加湿できるようになっているが、加湿と除湿の運転を同時に行うことができるものでなく、居室などを加湿しながら同時に押し入れなどを除湿することなどできなかった。
【０００７】
本発明は上記の点に鑑みてなされたものであり、室内を加湿しながら同時に押し入れなどの要除湿空間の除湿ができるデシカント調湿機を提供することを課題とするものである。
【０００８】
【課題を解決するための手段】
上記課題を解決するための本発明の請求項１のデシカント調湿機は、室外から空気を吸入して室内に供給する給気経路Ａと、室内から排気を吸入して室外に排出する排気経路Ｂとを並設し、所定の回転速度で回転駆動されるデシカントロータ１を給気経路Ａと排気経路Ｂとに跨って配設し、給気経路Ａのデシカントロータ１より給気の吸入側に給気を加熱するためのヒータ２を設け、ヒータ２にて加熱された加熱空気にてデシカントを再生することによるデシカントロータ１からの放湿にて室内への給気を加湿するようにしたデシカント調湿機において、排気経路Ｂでデシカントロータ１を通過して除湿された空気の少なくとも一部を要除湿空間３に供給するように排気経路Ｂと要除湿空間３とを連通させたことを特徴とする。
【０００９】
請求項１のデシカント調湿機では、冬季等に室内に供給する給気を加湿する場合、給気経路Ａ及び排気経路Ｂに通気し、デシカントロータ１を駆動すると共に給気経路Ａのヒータ２で加熱すると、給気経路Ａを流れる給気はヒータ２で加熱されてからデシカントロータ１に当たってデシカントロータ１から放湿されることで加湿されると共に、排気経路Ｂを流れる排気はデシカントロータ１に吸湿されて室外に排気され、冬季等に加湿する運転を行うことができるが、このように加湿運転しているとき排気経路Ｂのデシカントロータ１を通過することで除湿された空気を要除湿空間３に供給することで要除湿空間３の除湿を行うことができる。このため、新たなエネルギーを消費することなく、要除湿空間３の除湿ができる。つまり、今まで捨てていた低湿空気を利用して要除湿空間３の除湿ができるため新たなエネルギーを要さなく、機器の効率が大幅に上がる。またデシカントロータ１を通った直後の高温低湿の空気を要除湿空間３に供給することが可能となり、要除湿空間３を乾燥目的に使用するときに最適である。
【００１０】
また本発明の請求項２のデシカント調湿機は、請求項１において、給気と排気の顕熱交換を行う顕熱交換器４を給気経路Ａと排気経路Ｂに跨って配設し、排気経路Ｂのデシカントロータ１で水分を吸着することにより得た熱で暖められた排出側の空気と給気経路Ａの給気を給気経路Ａのヒータ２で加熱する前に顕熱交換するようにし、排気経路Ｂでデシカントロータ１を通過して除湿されると共に顕熱交換器４で顕熱交換をして温度の下がった空気の少なくとも一部を要除湿空間３に供給するように排気経路Ｂと要除湿空間３とを連通させたことを特徴とする。
【００１１】
請求項２のデシカント調湿機では、排気経路Ｂのデシカントロータ１を通った排気と給気経路Ａのヒータ２の手前の給気とが顕熱交換器４で顕熱交換して排気の熱が回収され、ヒータ２の加熱負荷を少なくできると共に、高温空気を給気することができるため、給気及び室内の暖房負荷を少なくできて熱効率を向上できる。また顕熱交換器４で顕熱交換をした中温低湿の空気を要除湿空間３に供給することが可能となり、さほど高温空気を必要としない要除湿空間３のベース除湿や結露防止などの目的に最適である。
【００１２】
また本発明の請求項３のデシカント調整機は、室外から空気を吸入して室内に供給する給気経路Ａと、室内から排気を吸入して室外に排出する排気経路Ｂとを並設し、所定の回転速度で回転駆動されるデシカントロータ１を給気経路Ａと排気経路Ｂに跨って配設し、室内に供給する給気を除湿する場合には排気経路Ａにおけるデシカントロータ１より排気の吸入側で排気を加熱し、且つ室内に供給する給気を加湿する場合には給気経路Ａのおけるデシカントロータ１より給気の吸入側にて給気を加熱するようにしたデシカント調湿機において、室内の供給する給気の除湿時には給気経路Ａのデシカントロータ１を通過した空気の少なくとも一部を要除湿空間３に供給し且つ室内の供給する給気の加湿時には排気経路Ｂのデシカントロータ１を通過した空気の少なくとも一部を要除湿空間３に供給するように給気経路Ａや排気経路Ｂと要除湿空間３とを連通させたことを特徴とする。
【００１３】
請求項３のデシカント調湿機では、夏季や中間期等に給気を除湿する場合、給気経路Ａ及び排気経路Ｂに通気し、デシカントロータ１を駆動すると共に排気経路Ｂのヒータ２で加熱すると、給気経路Ａを流れる給気はデシカントロータ１に吸湿することで除湿され、除湿された給気が室内に供給されると共に、排気経路Ｂを流れる排気はヒータ２で加熱されてからデシカントロータ１に当たってデシカントロータ１から放湿され、湿気を含んだ排気は室外に排出されるが、このように除湿運転しているとき給気経路Ｂのデシカントロータ１を通過することで除湿された空気を要除湿空間３に供給することで要除湿空間３の除湿を行うことができる。また冬季等に給気を加湿する場合、給気経路Ａ及び排気経路Ｂに通気し、デシカントロータ１を駆動すると共に給気経路Ａのヒータ２で加熱すると、給気経路Ａを流れる給気はヒータ２で加熱されてからデシカントロータ１に当たって放湿されることで加湿されると共に、排気経路Ｂを流れる排気はデシカントロータ１に吸湿されて室外に排気されるが、このように加湿運転しているとき排気経路Ｂのデシカントロータ１を通過することで除湿された空気を要除湿空間３に供給することで要除湿空間３の除湿を行うことができる。上記のようにデシカント調湿機を運転することで、除湿運転を行うときも加湿運転を行うときも要除湿空間３の除湿が可能となり、またデシカント調湿機の年間稼働率が大幅に上がる。また上記のように加湿運転するときは新たなエネルギーを消費することなく、要除湿空間３の除湿ができる。つまり、今まで捨てていた低湿空気を利用して要除湿空間３の除湿ができるため新たなエネルギーを要さなく、機器の効率が大幅に上がる。またデシカントロータ１を通った直後の高温低湿の空気を要除湿空間３に供給することが可能となり、要除湿空間３を乾燥目的に使用するときに最適である。
【００１４】
また本発明の請求項４のデシカント調湿機は、請求項３において、給気と排気の顕熱交換を行う顕熱交換器４を給気経路Ａと排気経路Ｂに跨って配設し、室内の供給する給気の除湿時には給気経路Ａから得た熱で前記排気経路Ｂの排気をヒータ２で加熱する前に加熱し且つ室内の供給する給気の加湿時には排気経路Ｂから得た熱で給気経路Ａの給気を給気経路Ａのヒータ２で加熱する前に加熱するようにし、除湿時には給気経路Ａのデシカントロータ１を通過して除湿されると共に顕熱交換して温度が下げられた空気の少なくとも一部を要除湿空間３に供給し且つ加湿時には排気経路Ｂでデシカントロータ１を通過して除湿されると共に顕熱交換器４で顕熱交換をして温度が下げられた空気の少なくとも一部を要除湿空間３に供給するように給気経路Ａや排気経路Ｂと要除湿空間３とを連通させたことを特徴とすることも好ましい。
【００１５】
請求項４のデシカント調湿機では、夏季等に給気を除湿する場合、給気経路Ａのデシカントロータ１を通った給気と排気経路Ｂのヒータ２の手前の排気とが顕熱交換器４で顕熱交換をして給気が冷却されると共に排気が加熱され、顕熱交換器４で加熱された排気がヒータ２で加熱されることになり、ヒータ２の加熱負荷を少なくできると共に給気の冷房負荷を少なくできて熱効率を向上できる。また冬季等に給気を加湿する場合、排気経路Ｂのデシカントロータ１を通った排気の熱が回収され、ヒータ２の加熱負荷を少なくできると共に、高温空気を給気することができるため、給気及び室内の暖房負荷を少なくできて熱効率を向上できる。また顕熱交換器４で顕熱交換をした中温低湿の空気を要除湿空間３に供給することが可能となり、さほど高温空気を必要としない要除湿空間３のベース除湿や結露防止などの目的に最適である。
【００１６】
また本発明の請求項５のデシカント調湿機は、請求項１または請求項２において、要除湿空間３へ送る空気量を可変できるようにして給気経路Ａにて加湿して室内に給気する空気量と要除湿空間３へ送る空気量の割合を変えられるようにしたことを特徴とする。また本発明の請求項６のデシカント調湿機は、請求項３または請求項４において、要除湿空間３へ送る空気量を可変できるようにして給気経路Ａにて除湿または加湿して室内に給気する空気量と要除湿空間３へ送る空気量の割合が変えられるようにしたことを特徴とする。また本発明の請求項７のデシカント調湿機は、請求項１乃至請求項４のいずれかにおいて、室外から室内に給気する空気量と室内から室外に排気する空気量が可変であることを特徴とする。
【００１７】
上記請求項５乃至請求項７のデシカント調湿機では、使用している室内の部屋数等の使用条件に応じて通常の室内への加湿給気や除湿給気及び要除湿空間への除湿空気の供給量や比率を調整できる。これにより用途に応じて省エネルギー性に優れた運転が可能になる。
【００１８】
【発明の実施の形態】
先ず、図１に示す実施の形態の例のデシカント調湿機の例から述べる。このデシカント調湿機は加湿専用のものである。本体ボックス６内は仕切り板７で仕切ってあり、２つの通気経路６ａ，６ｂを平行に設けてある。本例の場合、通気経路６ａが室外から室内に給気するための給気経路Ａとなっており、通気経路６ｂが室内から室外に排気するための排気経路Ｂとなっている。円盤状のデシカントロータ１と顕熱交換器４が仕切り板７を貫通して給気経路Ａと排気経路Ｂに跨って配置してあり、給気経路Ａで顕熱交換器４とデシカントロータ１との間にヒータ２を配置してある。
【００１９】
デシカントロータ１はハニカム構造等の通気可能な構造で且つ表面にデシカント（吸湿材）を備えており、低速で回転駆動されるようになっており、吸湿材に吸湿したり吸湿材から放湿したりできるようになっている。本例の場合、顕熱交換器４は顕熱ロータであり、低速で駆動されて顕熱交換をするようになっている。かかる顕熱交換器４は熱交換器内で交差して熱交換するなら静止型のものでもよい。上記ヒータ２は例えば温水コイルで形成されており、燃焼装置の排熱や太陽熱のような自然エネルギーで得た熱で加熱された温水が供給されるようになっている。ヒータ２は本例の場合温水で加熱するものであるが、電気、蒸気等で加熱するものでもよい。給気経路Ａのデシカントロータ１より給気の下流側にはファンのような送風手段８を配置してあり、排気経路Ｂの顕熱交換器４より排気の下流側にはファンのような送風手段９を配置してある。かかる送風手段８，９は回転数を変えたりして風量を調整できるようになっている。
【００２０】
また給気経路Ａから給気される室内は居室等がある通常の部屋がある部分である。ところで、住戸内には押し入れ、納戸、浴室、乾燥室等のように季節に関係なく除湿を要する要除湿空間３が存在するが、この要除湿空間３に除湿空気を供給するために排気経路Ｂのデシカントロータ１と顕熱交換器４との間の部分と要除湿空間３とを連通経路１０にて連通させてあり、連通経路１０には開閉したり開度を調整したりするダンバー１１を配置してあると共にファンのような送風手段１２を配置してある。
【００２１】
上記のように構成せるデシカント調湿機で冬季等に室内に供給する給気を加湿すための加湿運転する場合、送風手段８，９を駆動すると共にデシカントロータ１を駆動し（顕熱交換器４が顕熱ロータの場合、顕熱ロータも駆動）、ヒータ２で加熱する。すると、排気経路Ｂでは室内の排気が排気入口側ｃから吸入され、デシカントロータ１を通ることでデシカントロータ１に吸湿されてデシカントロータ１に排気から水分が回収され、デシカントロータ１を通ることで高温となると共に低湿（外気より湿度が低くなった）となった排気が顕熱交換器４を通ることで顕熱交換して中温となった低湿の排気が排気出口側ｄから室外に排出される。一方、給気経路Ａでは、室外の外気が給気入口側ａから吸入され、顕熱交換器４で排気側から得た熱にて給気が加熱され、この給気がヒータ２を通ることでさらに加熱され、加熱された給気がデシカントロータ１を通ることでデシカントロータ１からの放湿させて加湿され、温度が高く且つ湿度の高い加湿給気が給気出口側ｂから室内に供給される。
【００２２】
このようにして室内に供給する空気を加湿するが、ダンパー１１を開くと共に送風手段１２を駆動してデシカントロータ１で除湿された高温低湿の排気の一部を連通経路１０にて要除湿空間３に送る。これにより冬季等に通常の居室等の部屋は加湿しながら、押し入れ、納戸、浴室、乾燥室等の要除湿空間３のサブ除湿をすることができる。このとき、デシカント調湿機を加湿運転するときにデシカントロータ１で除湿された空気を要除湿空間３に供給して除湿するため、新たなエネルギーを消費することなく、要除湿空間３を除湿することができる。つまり、今まで排気していた低湿空気を利用することで機器全体の効率が大幅に上がる。
【００２３】
また図２は上記デシカント調湿機を加湿運転したときの給気経路Ａ及び排気経路Ｂの各部の温度及び湿度を示すグラフであり、この図で（ｃ）はデシカント調湿機の各部の位置の概略を示し、（ａ）は給気経路Ａの温度（実線）及び湿度（破線）の変化を示し、（ｂ）は排気経路Ｂの温度（実線）及び湿度（破線）変化を示す。要除湿空間３に除湿した空気を供給するとき、デシカントロータ１を通過した空気が供給されるが、図２（ｂ）の符号αに示す領域の高温で低湿の空気が要除湿空間３に供給される。このため、要除湿空間３が浴室や乾燥室で乾燥を目的とするとき最適である。
【００２４】
またダンパー１１を調整することにより要除湿空間３に行く空気量と排気経路Ｂの排気出口側ｄから排出される空気量の比率を調整できる。また送風手段８、９の回転数を制御することにより給気経路Ａや排気経路Ｂを流れる風量を可変することができる。上記のことにより、要除湿空間３への除湿した空気の供給を可変でき、室内へ加湿して給気する空気量と要除湿空間３へ供給する空気量の割合を可変にできる。このため、使用している部屋数等の使用条件に応じて通常の室内への給気や要除湿空間３への除湿空気の供給量や比率を調整できる。これにより省エネルギー性に優れた運転が可能になる。
【００２５】
次に図３に示すデシカント調湿機について述べる。本例は図１に示す例と基本的に同じであり、異なる点だけを主に述べる。図１に示す例では排気経路Ｂのデシカントロータ１と顕熱交換器４との間から要除湿空間３に連通する連通経路１０を分岐したが、本例の場合、排気経路Ｂの顕熱交換器４より下流側の部分から連通経路１０を分岐して連通経路１０を要除湿空間３に連通させてある。そして連通経路１０にダンパー１１や送風手段１２を配設してある。
【００２６】
このデシカント調湿機でも図１に示すデシカント調湿機と同様に加湿運転がされるが、顕熱交換器４を通った後の低湿の空気が連通経路１０を介して要除湿空間３に送られて要除湿空間３がサブ除湿される。本例のデシカント調湿機を運転したときも給気経路Ａ及び排気経路Ｂの各部の温度及び湿度は図２（ｂ）のようになるが、本例の場合、排気経路Ｂの顕熱交換器４を通った後の図２の符号βに示す領域の中温、低湿の空気が要除湿空間３に供給される。従って、中温低湿の空気が要除湿空間３に供給可能となり、さほど、高温空気を必要としないベース除湿や結露防止の目的に最適である。
【００２７】
次に図４に示すデシカント調湿機について述べる。このデシカント調湿機は除湿加湿兼用のものである。本体ボックス６内は仕切り板７で仕切ってあり、２つの通気経路６ａ，６ｂを平行に設けてある。円盤状のデシカントロータ１と顕熱交換器４が仕切り板７を貫通して通気経路６ａと通気経路６ｂに跨って配置してあり、通気経路６ａで顕熱交換器４とデシカントロータ１との間にヒータ２を配置してある。通気経路６ａのデシカントロータ１より通気の下流側にはファンのような送風手段８を配置してあり、通気経路６ｂの顕熱交換器４より通気の下流側にはファンのような送風手段９を配置してある。かかる送風手段８，９は回転数を変えたりして風量を調整できるようになっている。本例の場合も、顕熱交換器４は顕熱ロータであり、低速で駆動されて顕熱交換をするようになっている。かかる顕熱交換器４も熱交換器内で交差して熱交換するなら静止型のものでもよい。ヒータ２も本例の場合温水で加熱するものであるが、電気、蒸気等で加熱するものでもよい。
【００２８】
通気経路６ａ，６ｂの顕熱交換器４側を一端とし、デシカントロータ１側を他端としたとき、一対の経路切り替え手段１４，１５のうち一方の経路切り替え手段１４が通気経路６ａの一端及び通気経路６ｂの他端に連通していると共に他方の経路切り替え手段１５が通気経路６ａの他端及び通気経路６ｂの一端に連通している。そして除湿運転するときと、加湿運転をするときとで経路切り替え手段１５を切り替えるようになっており、除湿運転するときは通気経路６ａ側が排気経路Ｂとなると共に通気経路６ｂ側が給気経路Ａとなり、加湿運転するとき通気経路６ａ側が給気経路Ａとなると共に通気経路６ｂ側が排気経路Ｂとなるようになっている。
【００２９】
通気経路６ｂのデシカントロータ１と顕熱交換器４との間から連通経路１０を分岐してあり、この連通経路１０を要除湿空間３に連通させてあり、連通経路１０にダンパー１１や送風手段１２を配置してある。
【００３０】
上記のように構成せるデシカント調湿機で夏季、中間期等に室内に供給する給気を除湿する除湿運転をする場合、通気経路６ａ側が排気経路Ｂとなると共に通気経路６ｂ側が給気経路Ａとなるように経路切り替え手段１４，１５を切り替え、送風手段８，９を駆動すると共にデシカントロータ１を駆動し（顕熱交換器４が顕熱ロータの場合、顕熱ロータも駆動）、ヒータ２で加熱する。すると図４の実線に示すように空気が流れるようになり、次のように動作する。排気経路Ｂでは室内の排気が排気入口側ｃから吸入され、顕熱交換器４を通ることで排気が給気と熱交換して排気が加熱され、この排気がヒータ２を通ることで更に加熱され、この加熱された排気がデシカントロータ１を通ることでデシカントロータ１から放湿されて高温多湿の排気が排気出口側ｄから室外に排出される。給気経路Ａでは室外の外気が給気入口側ａから吸入され、デシカントロータ１を通ることでデシカントロータ１に吸湿して給気が除湿され、除湿された給気が顕熱交換器４を通ることで顕熱交換して排気と給気とが熱交換して給気の温度が下げられ、除湿された空気が給気出口側ｂから室内に給気される。このように室内に供給する空気を除湿するが、ダンパー１１を開くと共に送風手段１２を駆動してデシカントロータ１で除湿された給気の一部を連通経路１０にて要除湿空間３に送る。これにより夏季、中間期に通常の居室等の部屋は除湿をしながら、押し入れ、納戸、浴室、乾燥室等の要除湿空間３のサブ除湿をすることができる。このようにして夏季、中間期等の室内の除湿（本体除湿）と要除湿空間３の除湿（サブ除湿）とができる。
【００３１】
また冬季等に室内に供給する給気を加湿する加湿運転をする場合、通気経路６ａ側が給気経路Ａとなると共に通気経路６ｂ側が給気経路Ｂとなるように経路切り替え手段１４，１５を切り替え、送風手段８，９を駆動すると共にデシカントロータ１を駆動し（顕熱交換器４が顕熱ロータの場合、顕熱ロータも駆動）、ヒータ２で加熱する。すると図４の破線に示すように空気が流れるようになり、次のように動作する。排気経路Ｂでは室内の排気が排気入口側ｃから吸入され、デシカントロータ１を通ることでデシカントロータ１に吸湿されてデシカントロータ１に排気から水分が回収され、デシカントロータ１を通ることで高温となると共に低湿（外気より湿度が低くなった）となった排気が顕熱交換器４を通ることで顕熱交換して中温となった低湿の排気が排気出口側ｄから室外に排出される。一方、給気経路Ａでは、室外の外気が給気入口側ａから吸入され、顕熱交換器４で排気側から得た熱にて給気が加熱され、この給気がヒータ２を通ることでさらに加熱され、加熱された給気がデシカントロータ１を通ることでデシカントロータ１からの放湿させて加湿され、温度が高く且つ湿度の高い加湿給気が給気出口側ｂから室内に供給される。このように室内に供給する空気を加湿するが、ダンパー１１を開くと共に送風手段１２を駆動してデシカントロータ１で除湿された排気の一部を連通経路１０にて要除湿空間３に送る。これにより冬季等に通常の居室等の部屋は加湿をしながら、押し入れ、納戸、浴室、乾燥室等の要除湿空間３のサブ除湿をすることができる。このようにして冬季等の室内の加湿（本体加湿）と要除湿空間３の除湿（サブ除湿）とができる。
【００３２】
また上記のように除湿運転する状態でデシカントロータ１で除湿した空気が給気出口側ｄに行かなく、全て要除湿空間３に行くようにダンパー１を切り替え、送風手段８，９の風量もこれに合わせて少なく調整すると、室内の除湿を停止（本体停止）した状態で要除湿空間３の除湿（サブ除湿）のみができる。
【００３３】
上記のようにデシカント調湿機を運転することで、除湿運転を行うときも加湿運転を行うときも要除湿空間３の除湿が可能となり、またデシカント調湿機の年間稼働率が大幅に上がる。また上記のように加湿運転するときは新たなエネルギーを消費することなく、要除湿空間３の除湿ができる。つまり、今まで捨てていた低湿空気を利用して要除湿空間３の除湿ができるため新たなエネルギーを要さなく、機器の効率が大幅に上がる。また加湿運転時、デシカントロータ１を通った直後の高温低湿の空気を要除湿空間３に供給することが可能となり、要除湿空間３を乾燥目的に使用するときに最適である。
【００３４】
また上記デシカント調湿機は、冬季等に本体加湿＋サブ除湿、夏季、中間期等に本体除湿＋サブ除湿、年中等の本体停止＋サブ除湿の運転が簡単に実現できる。これにより冬季等の不在時にも、年間要所湿空間３の除湿のみを行うことができ、また年間除湿空間３のみに絞って除湿できるために無駄なエネルギーを必要としない。
【００３５】
またダンパー１１を調整することにより要除湿空間３に行く空気量と排気経路Ｂの排気出口側ｄから排出される空気量または給気経路Ａの給気出口側ｂからは給気される空気量の比率を調整できる。また送風手段８、９の回転数を制御することにより給気経路Ａや排気経路Ｂを流れる風量を可変することができる。上記のことにより、要除湿空間３への除湿した空気の供給を可変でき、室内へ加湿や除湿して給気する空気量と要除湿空間３へ供給する空気量の割合を可変にできる。このため、使用している部屋数等の使用条件に応じて室内への給気や要除湿空間３への除湿空気の供給量や比率を調整できる。これにより省エネルギー性に優れた運転が可能になる。
【００３６】
次に図５に示すデシカント調湿機について述べる。本例は図４に示す例と基本的に同じであり、異なる点だけを主に述べる。図４に示す例では通気経路６ｂのデシカントロータ１と顕熱交換器４との間から要除湿空間３に連通する連通経路１０を分岐したが、本例の場合、通気経路６ｂの顕熱交換器４より下流側の部分から連通経路１０を分岐して連通経路１０を要除湿空間３に連通させてある。そして連通経路１０にダンパー１１や送風手段１２を配設してある。
【００３７】
このデシカント調湿機でも図４に示すデシカント調湿機と同様に除湿運転や加湿運転がされるが、顕熱交換器４を通った後の低湿の空気が連通経路１０を介して要除湿空間３に送られて要除湿空間３がサブ除湿される。本例の場合、加湿運転される時は顕熱交換器４を通った後の図２の符号βに示す領域の中温、低湿の空気が要除湿空間３に供給される。従って、中温低湿の空気が要除湿空間３に供給可能となり、さほど、高温空気を必要としないベース除湿や結露防止の目的に最適である。
【００３８】
次に図６に示すデシカント調湿機について述べる。このデシカント調湿機は除湿加湿兼用のものである。本体ボックス６内は仕切り板７で仕切ってあり、２つの通気経路６ａ，６ｂを平行に設けてある。本例の場合、通気経路６ａが室外から室内に給気するための給気経路Ａとなっており、通気経路６ｂが室内から室外に排気するための排気経路Ｂとなっている。円盤状のデシカントロータ１と顕熱交換器４が仕切り板７を貫通して給気経路Ａと排気経路Ｂに跨って配置してある。顕熱交換器４としては加湿時用顕熱交換器４ａと除湿時用顕熱交換器４ｂとがあり、デシカントロータ１を挟むように加湿時用顕熱交換器４ａと除湿時用顕熱交換器４ｂとを配置してある。ヒータ２としても加湿時用ヒータ２ａと除湿時用ヒータ２ｂがあり、給気経路Ａの加湿時用顕熱交換器４ａとデシカントロータ１との間に加湿時用ヒータ２ａを配置してあると共に排気経路Ｂの除湿時用顕熱交換器４ｂとデシカントロータ１との間に除湿時用ヒータ２ｂを配置してある。上記加湿時用顕熱交換器４ａ及び除湿時用顕熱交換器４ｂは本例の場合顕熱ロータである。ヒータ２は本例の場合温水で加熱するものであるが、電気、蒸気等で加熱するものでもよい。
【００３９】
給気経路Ａのデシカントロータ１より給気の下流側にはファンのような送風手段８を配置してあり、排気経路Ｂの顕熱交換器４より排気の下流側にはファンのような送風手段９を配置してある。かかる送風手段８，９は回転数を変えたりして風量を調整できるようになっている。
【００４０】
また本例の場合、連通経路１０として加湿時用連通経路１０ａと除湿時用連通経路１０ｂがあり、排気経路Ｂのデシカントロータ１と加湿時用顕熱交換器４ａとの間から加湿時用連通経路１０ａを分岐してあると共に給気経路Ａのデシカントロータ１と除湿用顕熱交換器４ｂとの間から除湿時用連通経路１０ｂを分岐してあり、この加湿時用連通経路１０ａ及び除湿時用連通経路１０ｂを要除湿空間３に連通させてあり、加湿時用連通経路１０ａ及び除湿時用連通経路１０ｂに夫々ダンパー１１及び送風手段１２を配置してある。
【００４１】
上記のように構成せるデシカント調湿機で夏季、中間期等に室内へ供給する給気を除湿する除湿運転をする場合、送風手段８，９を駆動すると共にデシカントロータ１を駆動し、除湿時用顕熱交換器４ｂを作動させる（顕熱ロータを回転駆動）と共に除湿時用ヒータ２ｂを作動させる。すると、排気経路Ｂでは室内の排気が排気入口側ｃから吸入され、除湿時用顕熱交換器４ｂを通ることで排気が給気と熱交換して排気が加熱され、この排気が除湿時用ヒータ２ｂを通ることで更に加熱され、この加熱された排気がデシカントロータ１を通ることでデシカントロータ１から放湿されて高温多湿の排気が排気出口側ｄから室外に排出される。給気経路Ａでは室外の外気が給気入口側ａから吸入され、デシカントロータ１を通ることでデシカントロータ１に吸湿して給気が除湿され、除湿された給気が除湿時用顕熱交換器４ｂを通ることで排気と給気とが顕熱交換して給気の温度が下げられ、除湿された空気が給気出口側ｂから室内に給気される。このように室内に供給する空気を除湿するが、ダンパー１１を開くと共に送風手段１２を駆動してデシカントロータ１で除湿された給気の一部を除湿時用連通経路１０ｂにて要除湿空間３に送る。これにより夏季、中間期に通常の居室等の部屋は除湿をしながら、押し入れ、納戸、浴室、乾燥室等の要除湿空間３のサブ除湿をすることができる。このようにして夏季、中間期等の室内の除湿（本体除湿）と要除湿空間３の除湿（サブ除湿）とができる。
【００４２】
また冬季等に室内へ供給する給気を加湿する加湿運転をする場合、送風手段８，９を駆動すると共にデシカントロータ１を駆動し、加湿時用顕熱交換器４ａを作動させる（顕熱ロータを回転駆動）と共に加湿時用ヒータ２ａを作動させる。すると排気経路Ｂでは室内の排気が排気入口側ｃから吸入され、デシカントロータ１を通ることでデシカントロータ１に吸湿されてデシカントロータ１に排気から水分が回収され、デシカントロータ１を通ることで高温となると共に低湿（外気より湿度が低くなった）となった排気が加湿時用顕熱交換器４ａを通ることで顕熱交換して中温となった低湿の排気が排気出口側ｄから室外に排出される。一方、給気経路Ａでは、室外の外気が給気入口側ａから吸入され、加湿時用顕熱交換器４ａで排気側から得た熱にて給気が加熱され、この給気が加湿時用ヒータ２ａを通ることでさらに加熱され、加熱された給気がデシカントロータ１を通ることでデシカントロータ１からの放湿させて加湿され、温度が高く且つ湿度の高い加湿給気が給気出口側ｂから室内に供給される。このように室内に供給する空気を加湿するが、ダンパー１１を開くと共に送風手段１２を駆動してデシカントロータ１で除湿された排気の一部を加湿時用連通経路１０ａにて要除湿空間３に送る。これにより冬季等に通常の居室等の部屋は加湿をしながら、押し入れ、納戸、浴室、乾燥室等の要除湿空間３のサブ除湿をすることができる。このようにして冬季等の室内の加湿（本体加湿）と要除湿空間３の除湿（サブ除湿）とができる。
【００４３】
また上記のように除湿運転する状態でデシカントロータ１で除湿した空気が給気出口側ｄに行かなく、全て要除湿空間３に行くようにダンパー１を切り替え、送風手段８，９の風量もこれに合わせて少なく調整すると、室内の除湿を停止（本体停止）した状態で要除湿空間３の除湿（サブ除湿）のみができる。
【００４４】
上記のようにデシカント調湿機を運転することで、除湿運転を行うときも加湿運転を行うときも要除湿空間３の除湿が可能となり、またデシカント調湿機の年間稼働率が大幅に上がる。また上記のように加湿運転するときは新たなエネルギーを消費することなく、要除湿空間３の除湿ができる。つまり、今まで捨てていた低湿空気を利用して要除湿空間３の除湿ができるため新たなエネルギーを要さなく、機器の効率が大幅に上がる。また加湿運転時、デシカントロータ１を通った直後の高温低湿の空気を要除湿空間３に供給する可能となり、要除湿空間３を乾燥目的に使用するときに最適である。
【００４５】
図６に示すデシカント除湿機でも、図５に示す例のように顕熱交換器４を通過した後の空気を取り出して要除湿空間３に供給するようしてもよい。また図６に示す例のものでも顕熱交換器は静止型のものでもよいが、加湿時と除湿時に選択して駆動できないため熱ロスがあって好ましくない。しかし顕熱ロータであると加湿時と除湿時に選択して駆動できて熱ロスがなくて好ましい。
【００４６】
なお、上記デシカント調湿機ではヒータ２として温水コイルを用い、燃焼装置の排熱や太陽熱のような自然エネルギーを使用して得た温水を温水コイルに供給できるようになっており、ヒータ２による加熱にランニングコストがかからず、省エネルギー化を図ることができるものである。
【００４７】
【発明の効果】
本発明の請求項１の発明は、室外から空気を吸入して室内に供給する給気経路と、室内から排気を吸入して室外に排出する排気経路とを並設し、所定の回転速度で回転駆動されるデシカントロータを給気経路と排気経路とに跨って配設し、給気経路のデシカントロータより給気の吸入側に給気を加熱するためのヒータを設け、ヒータにて加熱された加熱空気にてデシカントロータを再生することによるデシカントロータからの放湿にて室内への給気を加湿するようにしたデシカント調湿機において、排気経路でデシカントロータを通過して除湿された空気の少なくとも一部を要除湿空間に供給するように排気経路と要除湿空間とを連通させたので、冬季等に給気を加湿する場合、給気経路及び排気経路に通気し、デシカントロータを駆動すると共に給気経路のヒータで加熱すると、給気経路を流れる給気はヒータで加熱されてからデシカントロータに当たってデシカントロータから放湿されることで加湿されると共に、排気経路を流れる排気はデシカントロータに吸湿されて室外に排気され、冬季等に加湿する運転を行うことができるが、このように加湿運転しているとき排気経路のデシカントロータを通過することで除湿された空気を要除湿空間に供給することで要除湿空間の除湿を行うことができるものであり、新たなエネルギーを消費することなく、要除湿空間の除湿ができるものである。つまり、今まで捨てていた低湿空気を利用して要除湿空間の除湿ができるため新たなエネルギーを要さなく、機器の効率が大幅に上がるものである。またデシカントロータを通った直後の高温低湿の空気を要除湿空間に供給することが可能となり、要除湿空間を乾燥目的に使用するときに最適なものである
また本発明の請求項２の発明は、請求項１において、給気と排気の顕熱交換を行う顕熱交換器を給気経路と排気経路に跨って配設し、排気経路のデシカントロータで水分を吸着することにより得た熱で暖められた排出側の空気と給気経路の給気をヒータで加熱する前に顕熱交換するようにしたので、排気経路のデシカントロータを通った排気と給気経路のヒータの手前の給気とが顕熱交換器で顕熱交換して排気の熱が回収され、ヒータの加熱負荷を少なくできると共に、高温空気を給気することができるため、給気及び室内の暖房負荷を少なくできて熱効率を向上できるものであり、しかも排気経路でデシカントロータを通過して除湿されると共に顕熱交換器で顕熱交換をして温度の下がった空気の少なくとも一部を要除湿空間に供給するように排気経路と要除湿空間とを連通させたので、顕熱交換器で顕熱交換をした中温低湿の空気を要除湿空間に供給することが可能となり、さほど高温空気を必要としない要除湿空間のベース除湿や結露防止などの目的に最適なものである。
【００４８】
また本発明の請求項３の発明は、室外から空気を吸入して室内に供給する給気経路と、室内から排気を吸入して室外に排出する排気経路とを並設し、吸湿材を備えると共に所定の回転速度で回転駆動されるデシカントロータを給気経路と排気経路に跨って配設し、室内に供給する給気を除湿する場合には排気経路におけるデシカントロータより排気の吸入側で排気を加熱し、且つ室内に供給する給気を加湿する場合には給気経路のおけるデシカントロータより給気の吸入側にて給気を加熱するようにしたデシカント調湿機において、室内に供給する給気の除湿時には給気経路のデシカントロータを通過した空気の少なくとも一部を要除湿空間に供給し且つ室内に供給する給気の加湿時には排気経路のデシカントロータを通過した空気の少なくとも一部を要除湿空間に供給するように給気経路や排気経路と要除湿空間とを連通させたので、夏季や中間期等に給気を除湿する場合、給気経路及び排気経路に通気し、デシカントロータを駆動すると共に排気経路のヒータで加熱すると、給気経路を流れる給気はデシカントロータに吸湿することで除湿され、除湿された給気が室内に供給されると共に、排気経路を流れる排気はヒータで加熱されてからデシカントロータに当たってデシカントロータから放湿され、湿気を含んだ排気は室外に排出されるが、このように除湿運転しているとき給気経路のデシカントロータを通過することで除湿された空気を要除湿空間に供給することで要除湿空間の除湿を行うことができるものであり、また冬季等に給気を加湿する場合、給気経路及び排気経路に通気し、デシカントロータを駆動すると共に給気経路のヒータで加熱すると、給気経路を流れる給気はヒータで加熱されてからデシカントロータに当たって放湿されることで加湿されると共に、排気経路を流れる排気はデシカントロータに吸湿されて室外に排気されるが、このように加湿運転しているとき排気経路のデシカントロータを通過することで除湿された空気を要除湿空間に供給することで要除湿空間の除湿を行うことができるものであり、除湿運転を行うときも加湿運転を行うときも要除湿空間の除湿が可能となり、またデシカント調湿機の年間稼働率が大幅に上がるものである。また上記のように加湿運転するときは新たなエネルギーを消費することなく、要除湿空間の除湿ができるものである。つまり、今まで捨てていた低湿空気を利用して要除湿空間の除湿ができるため新たなエネルギーを要さなく、機器の効率が大幅に上がるものである。またデシカントロータを通った直後の高温低湿の空気を要除湿空間に供給する可能となり、要除湿空間を乾燥目的に使用するときに最適なものである。
【００４９】
また本発明の請求項４の発明は、請求項３において、給気と排気の顕熱交換を行う顕熱交換器を給気経路と排気経路に跨って配設し、室内に供給する給気の除湿時には給気経路から得た熱で前記排気経路の排気をヒータで加熱する前に加熱し且つ室内に供給する給気の加湿時には排気経路から得た熱で給気経路の給気を給気経路のヒータで加熱する前に加熱するようにしたので、夏季や中間期等に給気を除湿する場合、給気経路のデシカントロータを通った給気と排気経路のヒータの手前の排気とが顕熱交換器で顕熱交換をして給気が冷却されると共に排気が加熱され、顕熱交換器で加熱された排気がヒータで加熱されることになり、ヒータの加熱負荷を少なくできると共に給気の冷房負荷を少なくできて熱効率を向上できるものであり、また冬季等に給気を加湿する場合、排気経路のデシカントロータを通った排気の熱が回収され、ヒータの加熱負荷を少なくできると共に、高温空気を給気することができるため、給気及び室内の暖房負荷を少なくできて熱効率を向上できるものであり、しかも除湿時には給気経路のデシカントロータを通過して除湿されると共に顕熱交換して温度が下げられた空気の少なくとも一部を要除湿空間に供給し且つ加湿時には排気経路でデシカントロータを通過して除湿されると共に顕熱交換器で顕熱交換をして温度が下げられた空気の少なくとも一部を要除湿空間に供給するように給気経路や排気経路と要除湿空間とを連通させたので、顕熱交換器で顕熱交換をした中温低湿の空気を要除湿空間に供給することが可能となり、さほど高温空気を必要としない要除湿空間のベース除湿や結露防止などの目的に最適なものである。
【００５０】
また本発明の請求項５の発明は、請求項１または請求項２において、要除湿空間へ送る空気量を可変できるようにして給気経路にて加湿して室内に給気する空気量と要除湿空間へ送る空気量の割合を変えられるようにしたものであり、本発明の請求項６の発明は、請求項３または請求項４において、要除湿空間へ送る空気量を可変できるようにして給気経路にて除湿または加湿して室内に給気する空気量と要除湿空間へ送る空気量の割合が変えられるようにしたものであり、また本発明の請求項７の発明は、請求項１乃至請求項４のいずれかにおいて、室外から室内に給気する空気量と室内から室外に排気する空気量が可変であるものであり、これらにより使用している室内の部屋数等の使用条件に応じて通常の室内への加湿給気や除湿給気及び要除湿空間への除湿空気の供給量や比率を調整できるものである。従って用途に応じて省エネルギー性に優れた運転が可能になるものである。
【図面の簡単な説明】
【図１】本発明の実施の形態の一例のデシカント調湿機の構造を示す概念図である。
【図２】同上の給気経路や排気経路の温度変化を説明する説明図である。
【図３】同上の他の例のデシカント調湿機の構造を示す概念図である。
【図４】同上の他の例のデシカント調湿機の構造を示す概念図である。
【図５】同上の他の例のデシカント調湿機の構造を示す概念図である。
【図６】同上の他の例のデシカント調湿機の構造を示す概念図である。
【符号の説明】
Ａ  給気経路
Ｂ  排気経路
１  デシカントロータ
２  ヒータ
３  要除湿空間
４  顕熱交換器
【図１】
2004278904.tif 000003
【図２】
2004278904.tif 000004
【図３】
2004278904.tif 000005
【図４】
2004278904.tif 000006
【図５】
2004278904.tif 000007
【図６】
2004278904.tif 000008